(57)【要約】      （修正有）【課題】頭部の大きさ等の個人差に関わらず、装着安定性を確実に確保でき、しかも良好なはめ心地を実現できる顔面保護具を提供する。【解決手段】頭部に装着される本体フレーム１０と、顔面を保護するシールドを保持するシールドフレーム２０と、を具備し、本体フレームは、前頭部から両側後頭部まで延びるブリッジアーム１１と、ブリッジアームの両端部に設けられ後頭部を支持する第１支持部１１ａと、ブリッジアームの側頭部に対応する部分１１ｂから前頭部方向に分岐して、ブリッジアームの内側に配置される一対のヘッドアーム１２と、ヘッドアームの先端部に設けられ前頭部を支持する第２支持部１２ａと、を具備し、ブリッジアームの前頭部に対応する部分は前頭部から離間して配置され、第１支持部の後頭部への押圧力を調整する第１押圧力調整部１５となり、ヘッドアームは、第２支持部１２ａの前頭部への押圧力を調整する第２押圧力調整部１６となる。【選択図】図３
2015205104.tif 000002
【特許請求の範囲】
【請求項１】
頭部に装着される本体フレームと、
前記本体フレームの外側に配置され、装着者の顔面の全部又は一部を保護するシールド部材を保持するシールドフレームと、を具備し、
前記本体フレームは、
前頭部から側頭部に亘って両側後頭部まで延びるブリッジアームと、前記ブリッジアームの両端部に設けられ後頭部を支持する第１支持部と、前記ブリッジアームの側頭部に対応する部分から前頭部方向に分岐して、前記ブリッジアームの内側に配置される一対のヘッドアームと、前記ヘッドアームの先端部にそれぞれ設けられ前頭部を支持する第２支持部と、を具備し、
前記ブリッジアームの前頭部に対応する部分は前頭部から離間して配置され、前記第１支持部の後頭部への押圧力を調整する第１押圧力調整部となり、
前記ヘッドアームは、前記第２支持部の前頭部への押圧力を調整する第２押圧力調整部となっていること
を特徴とする顔面保護具用フレーム。
【請求項２】
前記第２支持部の面積は、前記第１支持部の面積よりも大きいこと
を特徴とする請求項１に記載の顔面保護具用フレーム。
【請求項３】
前記ブリッジアームによって形成される平面と、前記ヘッドアームによって形成される平面と、の成す角は、０〜３０度の範囲内であること
を特徴とする請求項１又は２に記載の顔面保護具用フレーム。
【請求項４】
前記ブリッジアームの側頭部に対応する部分は、前記第１押圧力調整部及び前記第２押圧力調整部より剛性が高いこと
を特徴とする請求項１〜３の何れか一項に記載の顔面保護具用フレーム。
【請求項５】
前記シールドフレームは、前記本体フレームに着脱可能であること
を特徴とする請求項１〜４の何れか一項に記載の顔面保護具用フレーム。
【請求項６】
前記本体フレームと、前記シールドフレームの両端側のそれぞれと、が所定の軸部材によって連結されており、
前記軸部材を中心として前記シールドフレームが回動可能に構成されていること
を特徴とする請求項１〜５の何れか一項に記載の顔面保護具用フレーム。
【請求項７】
請求項１〜６の何れか一項に記載の顔面保護具用フレームと、
前記顔面保護具用フレームに着脱可能であり、装着者の顔面の全部又は一部を保護するシールド部材と、
を特徴とする顔面保護具。
【発明の詳細な説明】
【技術分野】
【０００１】
本発明は、顔面保護具及び顔面保護具用フレームに関し、特に、感染性飛沫や薬液等から顔面の全体又は一部を保護するための顔面保護具及び顔面保護具用フレームに関する。
【背景技術】
【０００２】
従来より、医療及び介護等の分野において、血液、分泌液、唾液、おう吐物等の感染源や水、薬液等の液体から顔面の全体又は一部を保護するためのシールド部材を具備する顔面保護具が知られている。この種の顔面保護具としては、例えばシールド部材としてのレンズを保持するレンズフレームに鼻パッド及びテンプル部材が固定されており、鼻パッドを鼻に当てるとともにテンプル部材を耳にかけて使用するメガネ式のものが知られている。また、使用者の眼の前方に設けられるゴーグル部（シールド部）と、シールド部を保持するための保持部と、保持部に連結され頭部に装着するための装着部と、を具備するカチューシャ式ゴーグルも知られている（例えば特許文献１及び２参照）。
【先行技術文献】
【特許文献】
【０００３】
【特許文献１】特開２００７−０８９７４８号公報
【特許文献２】特開２００９−０３１４７３号公報
【発明の概要】
【発明が解決しようとする課題】
【０００４】
しかしながら、メガネ式の顔面保護具は、装着者が眼鏡をかけている場合、鼻パッドやテンプル部材が眼鏡の各部材と干渉し合うため併用が困難であった。また、鼻や耳の位置や頭部の大きさ等には個人差があるため、装着時の安定性を確保することも難しかった。
【０００５】
また、特許文献１及び２のカチューシャ式ゴーグルでも、頭部の大きさ、形状、毛量等の個人差に関わらず装着時の安定性を確保するのが難しく、装着者によっては上下方向や左右方向にズレが生じる問題があった。頭部に無理に固定したならば、はめ心地が極めて悪くなって違和感や痛みが生じ、顔面保護具を使用して行う作業に支障を来し得る。このような問題は、医療及び介護の分野において使用される顔面保護具に限定されず、他の分野において使用される顔面保護具においても同様に存在する。
【０００６】
本発明はこのような事情に鑑み、頭部の大きさ等の個人差に関わらず、装着安定性を確実に確保でき、しかも良好なはめ心地を実現できる顔面保護具及び顔面保護具用フレームを提供することを目的とする。
【課題を解決するための手段】
【０００７】
上記課題を解決する本発明の態様は、頭部に装着される本体フレームと、前記本体フレームの外側に配置され、装着者の顔面の全部又は一部を保護するシールド部材を保持するシールドフレームと、を具備し、前記本体フレームは、前頭部から側頭部に亘って両側後頭部まで延びるブリッジアームと、前記ブリッジアームの両端部に設けられ後頭部を支持する第１支持部と、前記ブリッジアームの側頭部に対応する部分から前頭部方向に分岐して、前記ブリッジアームの内側に配置される一対のヘッドアームと、前記ヘッドアームの先端部にそれぞれ設けられ前頭部を支持する第２支持部と、を具備し、前記ブリッジアームの前頭部に対応する部分は前頭部から離間して配置され、前記第１支持部の後頭部への押圧力を調整する第１押圧力調整部となり、前記ヘッドアームは、前記第２支持部の前頭部への押圧力を調整する第２押圧力調整部となっていることを特徴とする顔面保護具用フレームにある。
【０００８】
かかる態様によれば、ブリッジアームの両端部に設けられた第１支持部によって後頭部の２点を支持し、ヘッドアームの先端部にそれぞれ設けられた第２支持部によって前頭部の２点を支持する、すなわち、前後左右の計４点によって頭部を支持するため、頭部の大きさ等の個人差に関わらず、装着安定性を確実に確保できる。その上、装着時において、押し広げたブリッジアームの間に頭部を大まかに位置させるだけで、押し広げ力を解除すれば、ブリッジアームやヘッドアームが初期状態に戻ろうとする弾性変形力を利用して、顔面保護具フレームを頭部に自動的に安定性よく支持させることができる。しかも、ブリッジアームの第１押圧力調整部やヘッドアームの第２押圧力調整部によって後頭部や前頭部への押圧力が調整されるため、良好なはめ心地も実現できる。
【０００９】
また、前記第２支持部の面積は、前記第１支持部の面積よりも大きいことが好ましい。これによれば、顔面保護具の前頭部への支持力を大きくできる。シールドフレームやシールドが設けられる分、前頭部側への重量が大きくなりやすいが、かかる重量を広面積である第２支持部で分散させることができ、良好なはめ心地を確実に実現できる。また、顔面保護具の前頭部への支持力が大きくされることで、シールドフレームが本体フレームに対して上下方向に回動可能に構成される場合には、シールドフレームの回動操作が容易となり、また回動操作に起因して顔面保護具に上下左右方向にズレが生じることも防止できる。
【００１０】
また、前記ブリッジアームによって形成される平面と、前記ヘッドアームによって形成される平面と、の成す角は、０〜３０度の範囲内であることが好ましい。これによれば、上記の本体フレームを金型等によって製造しやすくなる。よって、装着安定性を確実に確保でき、しかも良好なはめ心地を実現できる顔面保護具用フレームを容易に提供できる。
【００１１】
また、前記ブリッジアームの側頭部に対応する部分は、前記第１押圧力調整部及び前記第２押圧力調整部より剛性が高いことが好ましい。これによれば、ブリッジアームの側頭部に対応する部分の剛性が高い分、ブリッジアームの第１押圧力調整部やヘッドアームの第２押圧力調整部が優先して弾性変形するようになる。よって、頭部への更なる装着安定性を確実に確保でき、極めて良好なはめ心地を実現できる。しかも、ブリッジアームの側頭部に対応する部分（ヘッドアームの分岐部分）の剛性が確保されるようになり、長期の使用や繰り返しの使用等に対する耐久性も向上させることができる。
【００１２】
また、前記シールドフレームは、前記本体フレームに着脱可能であることが好ましい。これによれば、装着安定性を確実に確保でき、しかも良好なはめ心地を実現できる上、各フレームの修理交換やメンテナンスが容易となる顔面保護具用フレームを提供できる。
【００１３】
また、前記本体フレームと、前記シールドフレームの両端側のそれぞれと、が所定の軸部材によって連結されており、前記軸部材を中心として前記シールドフレームが回動可能に構成されていることが好ましい。これによれば、顔面保護具用フレームを頭部に装着した状態で、シールドフレームを上下方向に回動させることができる。よって、装着安定性を確実に確保でき、しかも良好なはめ心地を実現できる上、用途や外部環境に応じた使用態様を実現しやすい顔面保護具用フレームを提供できる。
【００１４】
上記課題を解決する本発明の他の態様は、上記の何れかに記載の顔面保護具用フレームと、前記顔面保護具用フレームに着脱可能であり、装着者の顔面の全部又は一部を保護するシールド部材と、を具備することを特徴とする顔面保護具にある。かかる態様によれば、上記の何れかに記載の顔面保護具用フレームを具備するため、装着安定性を確実に確保でき、しかも良好なはめ心地を実現できる顔面保護具を提供できる。
【発明の効果】
【００１５】
本発明の顔面保護具及び顔面保護具用フレームによれば、頭部の大きさ等の個人差に関わらず、装着安定性を確実に確保でき、しかも良好なはめ心地を実現できる。
【図面の簡単な説明】
【００１６】
【図１】本実施形態の顔面保護具の構成例を示す斜視図。
【図２】本実施形態の顔面保護具の各フレーム等の構成例を示す図。
【図３】本実施形態の顔面保護具用フレームの押圧力調整部を説明する図。
【図４】本実施形態の顔面保護具の装着時における押圧力の調整を説明する図。
【図５】比較例の顔面保護具を示す図。
【図６】他の本実施形態の顔面保護具の構成例を説明する図。
【発明を実施するための形態】
【００１７】
図１は、本発明の実施形態に係る顔面保護具の構成例を示す斜視図であり、図２（ａ）〜（ｃ）は、図１における各フレーム等の構成例を示す図である。
【００１８】
図示するように、本実施形態の顔面保護具１は、顔面保護具用フレームと、顔面保護具用フレームに着脱可能であり、感染性飛沫や薬液等から顔面の全部又は一部を保護するシールドＳと、を具備している。このうち顔面保護具用フレームは、頭部に装着される本体フレーム１０と、本体フレーム１０の外側に配置され、上記のシールドＳを保持するシールドフレーム２０と、を具備している。
【００１９】
本体フレーム１０は、前頭部から側頭部に亘って両側後頭部まで延びるブリッジアーム１１と、ブリッジアーム１１の両端部に設けられ後頭部を支持する第１支持部１１ａと、ブリッジアーム１１の側頭部に対応する部分１１ｂから前頭部方向に分岐して、ブリッジアーム１１の内側に配置される一対のヘッドアーム１２と、ヘッドアーム１２の先端部にそれぞれ設けられ前頭部を支持する第２支持部１２ａと、を具備している。ブリッジアーム１１及びヘッドアーム１２は、頭部に対応する曲状を有するとともにヘッドアーム１２の対向方向に弾性変形可能に構成されており、これらの間を押し広げたときの弾性変形力によって、頭部に支持させることが可能となっている。
【００２０】
本体フレーム１０の左右には、シールドフレーム２０が取り付けられる取り付け部１３がそれぞれ設けられている。ここでは、ブリッジアーム１１の側頭部に対応する部分１１ｂの近傍に、上記の取り付け部１３を形成するようにした。取り付け部１３は、例えば本体フレーム１０によって形成される面の片面側で本体フレーム１０に一体に設けられ、所定の係合孔１４が直列に複数（ここでは左右それぞれ３つ）形成された突出片である。上記の係合孔１４の何れかを選択肢し、シールドフレーム２０の両端において対向するように設けられた係合軸２１を軸支させることで、本体フレーム１０に対する距離や角度を調節可能に、シールドフレーム２０を取り付けることができるようになっている。
【００２１】
特に、本実施形態では、シールドフレーム２０の係合軸２１の根元に突起２１ａが一体的に設けられているとともに、本体フレーム１０の係合孔１４の縁部に、上記の突起２１ａが嵌合可能な嵌合溝１４ａと、シールドフレーム２０の回動方向に嵌合溝１４ａよりも幅広に形成された遊嵌溝１４ｂと、が設けられている。これにより、係合軸２１の突起２１ａが遊嵌溝１４ｂに規制される範囲内で、係合軸２１を支点としてシールドフレーム２０を本体フレーム１０に対して所定の角度θ１で回動させることができる。そして、遊嵌溝１４ｂを越えてシールドフレーム２０を更に回動させることで、係合軸２１の突起２１ａが嵌合溝１４ａに所定の角度θ２で嵌め合わされるようになる、つまり、本体フレーム１０に対する所定の角度θ２でシールドフレーム２０を保持可能となる。
【００２２】
このように、係合軸２１を中心としてシールドフレーム２０が上下方向に回動可能、その上、所定角度で保持可能に構成されていることで、顔面保護具用フレームを頭部に装着した状態で、シールドＳの上下方向の角度を自在とすることができる。例えば、シールドＳによって感染性飛沫や薬液等から顔面の全体又は一部を保護するなかで、必要に応じてシールドフレーム２０を本体フレーム１０に対して跳ね上げるように回動操作や角度保持操作するだけで、シールドＳをいちいち脱離させることなく、シールドＳによる顔面の保護を一時的に解除できるようになる。このように、用途や外部環境に応じた使用態様を実現しやすい顔面保護具用フレームを提供できる。
【００２３】
本実施形態では、上記のように係合軸２１を挿入する係合孔１４を選択することで、本体フレーム１０に対するシールドフレーム２０の距離をも調節可能とされており、装着者が眼鏡に加えてマスク等を更に併用するような場合においても、必要に応じて、シールドフレーム２０に取り付けたシールドＳがこれらに干渉しない十分な距離を確保できるようになっている。
【００２４】
ただし、本体フレーム１０及びシールドフレーム２０の接続の態様は、使用時においてシールドＳによって顔面の全部又は一部を覆うことができるよう、本体フレーム１０の外側にシールドフレーム２０を配置させることができる限りにおいて前記の例に限定されない。例えば、上記の例とは逆に、本体フレーム１０に係合軸が設けられ、シールドフレーム２０に係合孔が設けられるようにしてもよい。シールドフレーム２０が本体フレーム１０に着脱可能であれば、各フレームの修理交換やメンテナンスが容易となるが、本体フレーム１０に対してシールドフレーム２０の距離や角度を調節可能とすることは必須でなく、また、各フレームを一体に構成しても構わない。
【００２５】
本体フレーム１０及びシールドフレーム２０を所定の軸部材によって接続する場合、かかる軸部材の応力集中による破損や磨耗防止の観点から、軸部材による軸支部分にシリコーンオイル等の摺動剤を付与するようにしてもよく、軸支部分にワッシャー等の補強部材を設けるようにしてもよい。軸部材と、軸受け部分となる部材と、の構成材料を異ならせるようにすることも可能であり、一例として本実施形態では、シールドフレーム２０の係合軸２１の構成材料として、本体フレーム１０の係合孔１４よりも高弾性を実現できる材料が選択されている。
【００２６】
本体フレーム１０やシールドフレーム２０の構成材料としては、ポリプロピレン、ポリエチレン、塩化ビニル、アクリル系樹脂、ナイロン系樹脂、エポキシ系樹脂、ポリアセタール、ポリカーボネート等を、１種単独又は２種以上を併用して用いることができる。本実施形態ではポリプロピレンが用いられており、これによれば、物理的耐久性や弾性に加え、煮沸消毒やアルコール消毒に耐え得る耐熱性や耐薬品性にも優れた顔面保護具用フレームとなる。
【００２７】
尚、シールドフレーム２０は、装着者の前頭部に対応する曲状を有しており、上記のシールドＳを保持する保持部２２が両端側に設けられている。例えば保持部２２は、シールドフレーム２０の延在方向とは交差する方向に設けられた軸部材２３によってシールドフレーム２０の外側に回動自在に支持されたクリップ部材２４と、軸部材２３を支点としてクリップ部材２４の先端部２４ａを閉じるように付勢する付勢手段と、を具備するように構成することができる。本実施形態では、このクリップ部材２４の先端部２４ａにおけるシールドフレーム２０に対向する領域Ｒｋｒｐに、シールドＳに形成された貫通孔Ｏｐｎが係止される係止爪が形成されたものを用いた。
【００２８】
これによれば、クリップ部材２４の先端部２４ａを閉じるような付勢力に抗することで、軸部材２３を支点としてクリップ部材２４を回動させて係止爪をシールドフレーム２０から離間させることができる、いわゆるバインダークリップ機構を実現できる。かかる機構により、シールドＳの着脱が容易になるため、装着に要する手間や時間の短縮を図ることができ、また、クリップ部材２４の後端部２４ｂの押圧によりシールドＳを落下させて手で摘むことなく素早くそのまま廃棄できる。しかも、クリップ部材２４の係止爪によってシールドＳに形成された貫通孔Ｏｐｎを係止するので、シールドフレーム２０両端側の計２点であってもシールドＳを安定的に保持できる上、装着したシールドＳに歪みが生じることも防止できる。
【００２９】
上記の保持部２２の構成を採用する場合、シールドＳとして、上部両端にそれぞれ、貫通孔Ｏｐｎと切り欠きＣｏｕｔとが形成されたものを用いることができる。これによれば、保持部２２を切り欠きＣｏｕｔに沿わせてガイドさせ、保持部２２とシールドフレーム２０との間にシールドＳを滑り込ませるようにして更に容易に装着できるようになり、しかも装着後は、切り欠きＣｏｕｔに対して保持部２２がストッパーとなってシールドＳの上下方向の意図しない回動を規制できるため、シールドＳを極めて安定的に保持できる。
【００３０】
シールドＳには、例えば親水基が比較的多い三酢酸セルロ−スを用いて防曇性を付与することができる。すなわち、表面をアルカリ処理によって改質した三酢酸セルロ−スにより、透明性や可撓性のみならず防曇性をも具備したシールドＳとなる。ただし、シールドＳの構成材料は前記の例に限定されず、ポリエチレンテレフタラートやポリプロピレン等を用いるようにしてもよい。また、シールドＳの防曇性の更なる向上を図る観点からは、シールドＳの構成材料に防曇処理剤を添加したり、シールドＳの表面に防曇処理剤を塗布したりする等の防曇処理を更に施すことが好ましい。これによれば、通常使用時における使用者の呼吸はもちろん、外部環境の急激な変化に対しても、シールドＳの防曇性を確保できるようになる。
【００３１】
ここで、上記の本体フレーム１０に関する構成例や機能等について、図３〜４を参照しつつ説明する。図３は、本体フレームにおけるブリッジアームの押圧力調整部を説明する図であり、図４は、かかる押圧力調整部による押圧力の調整を説明する図である。
【００３２】
本体フレーム１０では、上記のようにブリッジアーム１１の側頭部に対応する部分１１ｂから前頭部方向の内側に分岐して、一対のヘッドアーム１２が配置されている。顔面保護具１の装着時において、前頭部は、ヘッドアーム１２に支持されて外側のブリッジアーム１１とは所定の距離だけ離間するようになっており、前頭部とブリッジアーム１１との間に所定の第１空間Ｒ１が形成されるようになる。この第１空間Ｒ１によって、ブリッジアーム１１の撓み空間、すなわち第１支持部１１ａの後頭部への押圧力調整空間が確保される。
【００３３】
このように、ブリッジアーム１１の前頭部に対応する部分は、第１支持部１１ａの後頭部への押圧力を調整する第１押圧力調整部１５となっている。初期状態（図３（ａ））からブリッジアーム１１の間を押し広げると、第１空間Ｒ１が大きくなるように第１押圧力調整部１５が撓み、このとき初期状態に戻ろうとする弾性変形力が、第１支持部１１ａの対向方向に作用する（図３（ｂ）の矢印）。この第１支持部１１ａの対向方向に作用する弾性変形力が、顔面保護具１の装着時における後頭部への押圧力となる。
【００３４】
一方、ヘッドアーム１２は、上記のようにブリッジアーム１１よりも内側に分岐、ここではブリッジアーム１１よりも所定の距離だけ内側に配置されるように分岐しており、ヘッドアーム１２とブリッジアーム１１との間に所定の第２空間Ｒ２が形成されるようになっている。この第２空間Ｒ２によって、ヘッドアーム１２の撓み空間、すなわち、第２支持部１２ａの前頭部への押圧力を調整する第２押圧力調整空間が確保される。
【００３５】
このように、ヘッドアーム１２は、第２支持部１２ａの前頭部への押圧力を調整する第２押圧力調整部１６となっている。初期状態（図３（ａ））からヘッドアーム１２の間を押し広げると、第２空間Ｒ２が小さくなるように第２押圧力調整部１６が撓み、このとき初期状態に戻ろうとする弾性変形力が、第２支持部１２ａの対向方向に作用する（図３（ｃ）の矢印）。この第２支持部１２ａの対向方向に作用する弾性変形力が、顔面保護具１の装着時における前頭部への押圧力となる。
【００３６】
以上のような顔面保護具用フレームによれば、上記の第１支持部１１ａによって後頭部部の２点を支持し、上記の第２支持部１２ａによって前頭部の２点を支持する、すなわち、前後左右の計４点によって頭部を支持できる。ヘッドアーム１２としての第２押圧力調整部１６は、ブリッジアーム１１の第１押圧力調整部１５とは独立して撓み動作し、また、一対の第２押圧力調整部１６同士も、それぞれ独立して撓み動作するため、頭部の大きさ等の個人差に関わらず、装着安定性を確実に確保できる。
【００３７】
その上、装着時において押し広げたブリッジアーム１１の間に頭部を大まかに位置させるだけで、押し広げ力を解除すれば、ブリッジアーム１１やヘッドアーム１２が初期状態に戻ろうとする弾性変形力を利用して、顔面保護具フレームを頭部に自動的に支持させることができる。しかも、ブリッジアーム１１の第１押圧力調整部１５やヘッドアーム１２の第２押圧力調整部１６によって後頭部や前頭部への押圧力が調整されるため、良好なはめ心地も実現できる。
【００３８】
例えば、顔面保護具１の装着時（図４（ａ））、第２押圧力調整部１６が第２空間Ｒ２内に撓み、所定の対向距離ＬＦ１を介したヘッドアーム１２の第２支持部１２ａによって前頭部が安定的に受け止められる。第２押圧力調整部１６が第２空間Ｒ２内に撓む分、前頭部によるブリッジアーム１１の撓みが抑制され、第１支持部１１ａの対向距離ＬＢ１が過度に離れることを防止でき、第１支持部１１ａによる後頭部の支持が弱められることなく、第１支持部１１ａによる後頭部の支持が弱められることがなくなる。
【００３９】
装着者の頭部が比較的大きい場合等には（図４（ｂ））、第２押圧力調整部１６が第２空間Ｒ２内に大きく撓み、所定の対向距離ＬＦ２を介したヘッドアーム１２の第２支持部１２ａによって前頭部が安定的に受け止められる（ＬＦ２＞ＬＦ１）。第２押圧力調整部１６が第２空間Ｒ２内に大きく撓む分、第１支持部１１ａの対向距離ＬＢ２が過度に離れることを防止でき、第１支持部１１ａによる後頭部の支持が弱められることがなくなる。
【００４０】
頭部が比較的小さい場合等には（図４（ｃ））、第２押圧力調整部１６の第２空間Ｒ２内への撓みが少なくなるものの、ヘッドアーム１２の第２支持部１２ａによって前頭部が安定的に受け止められる。頭部が小さい分、第１支持部１１ａの対向距離ＬＢ３が過度に離れることもなく、第１支持部１１ａによって後頭部が安定的に受け止められる（ＬＢ３＜ＬＢ１）。
【００４１】
このように、顔面保護具用フレームによれば、頭部の大きさ、形状、毛量等の個人差に関わらず、前頭部を安定的に支持でき、更に、第１支持部１１ａ同士が過度に引き離されて後頭部から離間してしまったり、後頭部への第１支持部１１ａへの押圧力が弱くなってしまったりすることもなくなるため、装着安定性を確実に確保できる。しかも良好なはめ心地も実現できる。顔面保護具１は、前頭部から側頭部に亘って両側後頭部まで延びて頭部に支持されるため、眼鏡の鼻パッドやテンプル部材等の各部材と干渉することもなく、併用が可能である。
【００４２】
このような第２支持部１２ａの面積は、第１支持部１１ａの面積よりも大きいように構成されている。シールドフレーム２０やシールドＳが設けられる分、前頭部側への重量が大きくなりやすいが、かかる重量を広面積である第２支持部１２ａで分散させることができ、良好なはめ心地を確実に実現できる。また、顔面保護具の前頭部への支持力が大きくされることで、シールドフレーム２０の回動操作が容易となり、回動操作に起因して顔面保護具１に上下左右方向にズレが生じることも防止できる。
【００４３】
また、ブリッジアーム１１の側頭部に対応する部分１１ｂは、第１押圧力調整部１５及び第２押圧力調整部１６より剛性が高いように構成されている。これによれば、ブリッジアーム１１の側頭部に対応する部分１１ｂの剛性が高い分、ブリッジアーム１１の第１押圧力調整部１５やヘッドアーム１２の第２押圧力調整部１６が優先して弾性変形するようになる。よって、頭部への更なる装着安定性を確実に確保でき、極めて良好なはめ心地を実現できる。しかも、ブリッジアームの側頭部に対応する部分１１ｂ（ヘッドアームの分岐部分）の剛性が確保されるようになり、長期の使用や繰り返しの使用等に対する耐久性も向上させることができる。
【００４４】
また、ブリッジアーム１１によって形成される平面と、ヘッドアーム１２によって形成される平面と、の成す角は、０〜３０度の範囲内であるように構成されている。これによれば、上記の本体フレームを金型等によって製造しやすくなる。尚、上記の成す角は前記の例に限定されず、例えば３０〜９０度の範囲内であってもよい。
【００４５】
以上説明した顔面保護具１の使用方法は以下の通りである。すなわち、ブリッジアーム１１の間を押し広げ、ブリッジアーム１１の間に頭部を位置させた上で押し広げ力を解除する。これにより、顔面保護具用フレームに対する頭部の厳密な位置合わせを要することなく、ブリッジアーム１１やヘッドアーム１２が初期状態に戻ろうとする弾性変形力を利用して、自動的に、頭部への安定性よく素早く装着できる。よって、顔面保護具用フレームを素早く、かつ簡易な動作で自ら頭部に装着できるのは勿論、装着対象者に対して他者が顔面保護具を装着する場合においても、頭部への好適な位置に、安定性よく素早く装着させることができる。ブリッジアーム１１の第１押圧力調整部１５やヘッドアーム１２の第２押圧力調整部１６によって後頭部や前頭部への押圧力が調整されるため、良好なはめ心地も実現できる。
【００４６】
以上説明した本実施形態の顔面保護具１や顔面保護具用フレームは、様々な分野において使用することができる。特に、医療や介護の分野で使用される場合には緊急性を要する状況も想定されるが、かかる状況下においても、簡単な操作で素早く、かつ安定的に顔面保護具を頭部に装着できる。良好なはめ心地も実現できるため、長時間や繰り返しの使用によっても、違和感や痛みが生じることもがない。
【実施例】
【００４７】
以下、実施例に基づいて本発明を具体的に説明するが、本発明はこれら実施例に限定されるものではない。
【００４８】
（実施例１）
上記の実施形態に記載の顔面保護具１を構成した（実施例１）。シールドとしては、上部両端にそれぞれ貫通孔Ｏｐｎ及び切り欠きＣｏｕｔが形成されているものを用いた。
【００４９】
（比較例１）
頭部を額から水平に囲むように装着するストレート式の本体フレームを用いて構成した。具体的には、頭部より径の小さい環の一部を切断し、額を支点の一つとして頭部を水平に囲むようにし、押し広げた両端部が元に戻ろうとする弾性変形力によって頭部に支持させる顔面保護具とした。
【００５０】
（比較例２）
比較例１のストレート式を採用した本体フレームを斜めに（額よりも頭頂部に近い位置を支点の一つとし、本体フレームの両端部を後頭部や首すじの近傍に位置させて）装着するようにした。斜めに装着すると、眼鏡のテンプルと本体フレームが交差することが予想されたため、本体フレームの両端部を狭めることにより眼鏡テンプル付近で本体フレームを頭部から浮き上がらせ、本体フレームの両端部のみが頭部と接触するような顔面保護具とした。
【００５１】
（比較例３）
前頭部と本体フレームが２点で接触するように、本体フレームの前方内側（装着時における前頭部に当接する側）の左右に突起をそれぞれ設けた本体フレームを用いて構成した。具体的には、左右それぞれの突起を前頭部に当接させ、押し広げた両端部が元に戻ろうとする弾性変形力によって後頭部を支持させる顔面保護具とした。
【００５２】
その他、シールド部としてのレンズの周りにレンズフレームが設けられるとともに、レンズフレームに鼻パッド及び一対のテンプル部材が固定されたメガネ式の顔面保護具も検討したが、かかるメガネ式では、装着時において、顔面保護具の鼻パッドやテンプル部材が眼鏡の各部材と干渉するようになり、眼鏡との併用が困難であった。
【００５３】
（官能試験１）
２０代〜５０代の男女の計１０名を対象に、シールドの装着時における、はめ心地、上下の安定性、左右の安定性について３段階で評価する官能試験を実施した。試験の結果は、使用に適さないと判断する場合には「×」、使用に適すると判断する場合には「○」、「×」及び「○」で評価が分かれる場合には「△」、格段に優れていると判断する場合には「◎」と評価した。結果を表１に示す。
【００５４】
【表１】
2015205104.tif 000003
【００５５】
比較例１は、上下方向に対する安定感がないことが分かった（図５（ａ）の矢印Ａ）。また、比較例１は、前方にシールドおよびシールドフレームを取り付けた場合には、その重さで頭部から本体フレームが外れやいことも分かった。
【００５６】
比較例２は、装着者の頭の形状によって、本体フレームの前側が前頭部中央の１点でのみ支持されるようになり、後頭部を支持する本体フレームの両端部が支点となり、上下方向に回転するようなズレや、左右方向のズレが生じやすいことが分かった（図５（ｂ）の矢印Ａ及びＢ）。
【００５７】
比較例３は、前頭部の２点と後頭部の２点、前後左右の計４点から頭部を支持できるため、比較例１〜２に比べれば安定感が高くなったが、頭部が大きいと、前頭部によって支持点が大きく押し広げられて、これにより本体フレームが広がり、後頭部を支持するための両端部が過度に離れ、後方支持部の締め付けが弱くなることが分かった（図５（ｃ）のＬｂ）。つまり、比較例３では、頭部の大きい場合も小さい場合も安定して装着できるものではないことが分かった。
【００５８】
これに対し、実施例１は、３項目すべてにおいて、格段に優れている評価となり、他の構成より優れた構造であるとことが確かめられた。
【００５９】
（他の実施形態）
以上、本発明の一実施形態を説明したが、本発明の基本的構成は上記のものに限定されるものではない。例えば、本発明は、上記の実施形態で述べたような医療や介護の分野において使用される顔面保護具に限定されず、染性飛沫や薬液等から顔面の全体又は一部を保護するための顔面保護具を対象としたものであり、他の分野においても勿論適用することができる。例えば、本発明は、化学分野、船舶・海洋分野、航空・宇宙分野、繊維分野、金属分野、資源工学分野、建設分野、上下水道分野、衛生工学分野、農業分野、森林分野、水産分野、環境分野、原子力・放射線分野等にも適用可能である。
【００６０】
上記の実施形態では、シールドＳとして可撓性を有する透明樹脂材料を用いて構成したが、これに調光材料や光吸収材料等を配合するようにしてもよい。シールドの長さも限定されず、感染性飛沫や薬液等から顔面の全体を保護する程度の長さを有するものであってもよいし、顔面の一部、例えば眼球近傍を保護する程度の長さを有するものであってもよい。
【００６１】
また、シールドＳには、少なくとも一方の面に所定の保護シートを付しておくようにしてもよい。これによれば、使用前段階においてシールドＳの表面が保護シートによって保護されるため、シールドＳの表面に傷がつくことや、空気中のダストによって表面が汚染されることを抑制できる。よって、作業時における作業対象物への良好な視認性を確保でき、保護シートの剥離することではじめて露出する面を外側にしてシールドＳを使用すれば、作業対象物に対する低汚染性をも確保できるようになる。しかも、保護シートを付しておくことで、シールドＳ同士の張り付きを防止することもできる。
【００６２】
保護シートに帯電防止特性を付与するようにすれば、シールドＳからの剥離が容易となり、着色された保護シートを用いるようにすれば、シールドＳに保護シートが付されているか否かの判断が容易となる。更に、保護シートの所定位置に剥離シールを付しておき、これを摘まんでシールドＳから保護シートを剥離できるようにすれば、かかる剥離作業がより容易なものとなる。
【００６３】
保護シートは、シールドＳの全面に設けることもできるし、一部のみに設けることもできる。シールドＳの全面に設けた上で、保護シートのみに切れ込みや切断線を付与するようにすれば、所定領域ごとに所定のタイミングで保護シートを剥離することができる。一例として、シールドＳの全面に保護シートを設け、シールドＳの貫通孔Ｏｐｎ及び切り欠きＣｏｕｔを含む上部領域と、装着時において顔面を主に保護する下部領域と、の境界に切断線を付与し、上部領域の保護シートのみ、使用前段階である出荷時や保管時に剥離しておくようにすることができる。
【００６４】
シールドフレーム２０は、上記のように左右の保持部２２同士を接続するように連続して設けられることで、シールドフレーム２０の外面をシールドＳに当接させてシールドＳを安定的に保持しやすくなり、また顔面との好適な距離を保ちやすくなる。ただし、シールドフレームは前記の例に限定されず、図６（ａ）に示すように、中央部分が除かれた別体型のシールドフレーム２０Ａ、２０Ｂとしてもよい。これによれば、各部材ごとの修理・交換・メンテナンス等が可能になる。また、図６（ｂ）に示すように、本体フレーム１０及びシールドフレーム２０を一体的に固定するようにしてもよい。
【００６５】
シールドフレーム２０におけるシールドＳを保持するための構成は、本体フレーム１０の外側でシールドＳを保持できる限りにおいて前記の例に限定されず、シールドフレーム２０から立ち上がり、押圧に応じて先端部に形成された係止爪がシールドフレーム２０に接離可能である延設部材と、延設部材よりも後端側に設けられ延設部材の背面にと当接してスライド可能なスライド部材と、を具備するスライド式を採用してもよい。かかるスライド式の場合、スライド部材をスライドさせて延設部材を背面側から押し倒すことで、係止爪を貫通孔Ｏｐｎに係止させることができ、逆方向にスライドさせることで、係止爪の係止を解除することができる。
【００６６】
また、シールドフレーム２０におけるシールドＳを保持するための構成として、ヒンジ接続された一対の雄部及び雌部をシールドフレームに形成し、貫通孔Ｏｐｎを通して雄部を雌部に押し込んでシールドＳを装着し、雌部から雄部を引き抜いてシールドＳを脱離させるヒンジ式を採用してもよい。また、シールドフレームの両側に手かぎ状のフックを形成し、これに貫通孔Ｏｐｎを引っ掛けてシールドＳを引き伸ばしつつ装着し、フックの引っ掛かりを解除してシールドＳを脱離させるフック式を採用してもよい。
【００６７】
また、シールドフレームの両側に、先端に大径部を有するピンを形成するとともに、貫通孔Ｏｐｎの縁に複数の切り込みを形成し、縁を折り曲げて貫通孔Ｏｐｎをピンに押し通すことでシールドＳを装着し、縁が折り曲がるようにピンから貫通孔Ｏｐｎを外すことでシールドＳを脱離させるプッシュ式を採用してもよい。更に、シールドフレームの両側に、シールドフレーム側に付勢された押さえ板部を形成し、押さえ板部の間に挿入することでシールドＳを装着し、シールドフレーム及び押さえ板部の間から引き抜いてシールドＳを脱離させる単純クリップ式を採用しても良い。必要に応じて、シールドフレーム２０のシールドＳに対向する面に突起を設け、この突起に対応するようにシールドに開口を形成し、シールドＳの開口にシールドフレーム２０の突起を挿入しつつ、保持部２２によってシールドＳを保持するようにしてもよい。
【産業上の利用可能性】
【００６８】
本発明は、顔面保護具に関し、特に、感染性飛沫や薬液等から顔面の全体又は一部を保護するための顔面保護具の分野で好適に利用できる。
【符号の説明】
【００６９】
１            顔面保護具
１０          本体フレーム
１１          ブリッジアーム
１１ａ        第１支持部
１１ｂ        側頭部に対応する部分（分岐部分）
１２          ヘッドアーム
１２ａ        第２支持部
１３          取り付け部
１４          係合孔
１４ａ        嵌合溝
１４ｂ        遊嵌溝
１５          第１押圧力調整部
１６          第２押圧力調整部
２０，２０Ａ，２０Ｂ        シールドフレーム
２１          係合軸
２１ａ        突起
２２          保持部
２３          軸部材
２４          クリップ部材
２４ａ        先端部
２４ｂ        後端部
【図１】
2015205104.tif 000004
【図２】
2015205104.tif 000005
【図３】
2015205104.tif 000006
【図４】
2015205104.tif 000007
【図６】
2015205104.tif 000008
【図５】
2015205104.tif 000009